(57)【要約】【課題】結束束の放出をスムーズに行なうとともに、放出ガイド１２の寿命を延長できる結束装置の放出ガイド構造を提供する。【解決手段】刈取られた穀稈を集束部１１に送り、株元側と茎葉部側を結束ドア２０と放出ガイド１２で支持した状態で結束し、結束された結束束を結束ドア２０と放出ガイド１２を側方に開放させて放出アーム１４で放出する結束装置において、前記放出ガイド１２の基部側に反放出方向面に接当規制するプレート２２を設け、このプレート２２を放出ガイド１２の放出時の曲がり位置より伸ばした状態でブラケット４ａに支持したことを特徴とする。【選択図】　　　図４
2004065161.tif 000002
【特許請求の範囲】
【請求項１】
刈取られた穀稈を集束部１１に送り、株元側と茎葉部側を結束ドア２０と放出ガイド１２で支持した状態で結束し、結束された結束束を結束ドア２０と放出ガイド１２を側方に開放させて放出アーム１４で放出する結束装置において、前記放出ガイド１２の基部側に反放出方向面に接当規制するプレート２２を設け、このプレート２２を放出ガイド１２の放出時の曲がり位置より伸ばした状態でブラケット４ａに支持したことを特徴とする結束装置の放出ガイド構造。
【発明の詳細な説明】
【０００１】
【発明の属する技術分野】
本発明は、バインダ等の結束装置の放出ガイド構造に関する。
【０００２】
【従来の技術】
従来、バインダの結束通路の終端部に設けられ穀稈を受止めて支持するとともに、その自由端側を側方に開放させて結束束を放出する放出ガイドは、特開２００２−８４８５３号公報に記載された放出ガイド構造のものが既に提案されている。
【０００３】
【発明が解決しようとする課題】
上記公報で示される放出ガイドは、集束部で穀稈の茎葉部を支持する保持力を調節可能にしながら、結束束を放出する際に側方に向けて開放するが、この放出ガイドは放出終了に伴い元の支持位置に復帰するとき、弾性反力によって放出ガイドの基部側の反放出方向面（裏側）がボルトで固定されているブラケットの端部（エッジ部）との接当を激しく繰り返すので、この裏側の接当面に応力集中が発生して疲労破損を生じ易い欠点がある。
【０００４】
また上記接当破損防止のために、ブラケットの支持を基部側に向けて短くすると、放出ガイドの復帰時における集束部側への揺れ曲げ（振巾）を大きくしながら振動するので、放出ガイドの先端側で集束部に送り込まれる穀稈を乱してしまい結束に支障を生じさせる等の課題がある。
【０００５】
【発明を解決するための手段】
上記目的を達成するための本発明の結束装置の放出ガイド構造は、刈取られた穀稈を集束部１１に送り、株元側と茎葉部側を結束ドア２０と放出ガイド１２で支持した状態で結束し、結束された結束束を結束ドア２０と放出ガイド１２を側方に開放させて放出アーム１４で放出する結束装置において、前記放出ガイド１２の基部側に反放出方向面に接当規制するプレート２２を設け、このプレート２２を放出ガイド１２の放出時の曲がり位置より伸ばした状態でブラケット４ａに支持したことを特徴としている。
【０００６】
【発明の実施の形態】
本発明の実施の形態を図面を参照しながら説明する。
【０００７】
図１は、本発明を実施したバインダＢの全体斜視図であって、１は機体前部に設けた刈取装置、２はその最先端に設けた左右一対のディバイダ、３は引起しケース、４はこの引起しケース３に対設した案内板であって、上記引起しケース３から起立する多数の引起し爪５・・により穀稈が梳起こされると共に、穀稈が図２で示すように、掻込回転する掻込輪５ａと挟持杆５ｂにより挟持送りされている間に、下方に設けた刈刃６によって刈取られるようになっている。また、７は隣接する穀稈条と刈取条の穀稈とが明確に区分けされるためのナローガイドである。
【０００８】
次に、９は上記刈取装置１の後部に設けた凭れ案内板であって、前述の刈取装置１で刈取られた穀稈が凭れ案内板９で受止められる。また、受止められた穀稈は、結束装置１０の図示しないパッカーにより結束装置１０の集束部１１に案内・搬送されて、一束分の穀稈量に達すると株元部が結束装置１０の図示しないニードル、ビル、ホルダ等の機構によって結束される。
【０００９】
なお、この場合、穀稈の茎葉部分は案内板４の裏面に設けたブラケット４ａ（図３）に装着された放出ガイド１２で支持されるが、これは結束通路の終端部に臨んで配置されている。また、１３は上記放出ガイド１２を、ブラケット４ａに対し保護と放出性能の向上を図りながら取付けるための取付構造である。
【００１０】
より詳述すると、集束部１１に搬送されてきた穀稈は、株元側を結束装置１０の結束ドア２０で受止められ、また、前述の放出ガイド１２で穀稈の茎葉部分が受止められて支持されている。結束ドア２０部分の穀稈が一束分の穀稈量に達すると結束装置１０の図示しないニードル、ビル、ホルダが結束作動を行なった後、この結束装置１０に設けた放出アーム１４が結束された穀稈を機体の側方へ強制的に放出作動し、結束穀稈は圃場に放出される。
【００１１】
更に、この時の穀稈の株元側は株元払いガイド１５に接当するため結束穀稈は株元側が機体側に、穂先側が機体から離れた側になる姿勢で放出される。なお、図中の１６は機体下部に設けた車輪であり、機体後部にはエンジン１７、ハンドル１８、運転操作部１９等が設けられている。
【００１２】
次に、前述の放出ガイド１２及びその取付構造１３について、図２〜図４を参照して説明する。
【００１３】
放出ガイド１２は、その基部を複数のボルト（取付具）２１，２１で案内板４の裏面に設けたブラケット４ａに固定され、その放出ガイド１２とブラケット４ａとの間に後述する形状のプレート２２を介装し、且つ結束束の放出方向側にはガイドプレート２３を対面させてボルト２１で三者を一体的に締着して結束装置の放出ガイド構造を構成している。
【００１４】
この放出ガイド構造を図３及び図４を参照して説明すると、図示例の放出ガイド１２と緩衝プレート２２及びガイドプレート２３はいずれも高弾性係数を有するスプリング鋼板で構成し、三者の取付部を略同巾とし同位置に２ケのボルト挿通孔を貫通開口している。
【００１５】
そして上記三者をブラケット４ａにボルト２１で締着した状態で、プレート２２はブラケット４ａより長く張り出した先端側を結束束の放出方向と反対側にに向けて滑らかな円弧面に曲げた接当部２２ａを形成している。
【００１６】
また結束穀稈の放出側に設けたガイドプレート２３は、その先端側をボルト２１による固定位置から、前記緩衝プレート２２の先端部に略至る長さ部分を放出方向に向けて屈曲形成し、放出ガイド１２が放出時に自由に動くことができる作動空間Ｈを形成している。
【００１７】
この構成により板バネ状の放出ガイド１２は結束束の放出時に作動空間Ｈを自由に変曲した後に、その基部側がガイドプレート２３と弾性的に接当し、このガイドプレート２３を撓ませながら放出ガイド１２の先端部側を円弧状に大きく撓ませて集束部１１を開放して結束束をスムーズに放出するようにしている。
【００１８】
そして放出終了時には放出ガイド１２は自身の弾性復帰力に合わせ基部側からガイドプレート２３による戻し方向の弾性付勢力が加えられるから、放出後の復帰動作を速やかに行なうことができる。
【００１９】
この動作を行わせるために、放出ガイド１２は図３で示すように側面視の形状を下縁側を先細に向けて縮小させてしなり易くして結束束放出時のしなり抵抗を低減できるように形成している。
【００２０】
以上のように構成した結束装置の放出ガイド構造を備えたバインダＢは、放出アーム１４で結束束が放出ガイド１２を大きくしならせ集束部１１を開放し、放出した後は、速やかに復帰するが、このとき弾性反力によって集束部１１側（図４の点線矢印方向）に向けて大きく揺れ振動するが、放出ガイド１２の反放出方向面を緩衝プレート２２の曲がり部２２ａ（図４）に弾性力を作用させながら接当規制されるので、従来の装置のように放出ガイド１２の基部にブラケット４ａとの激しく衝突して大きな騒音を発生したり、応力集中を伴って寿命を短縮させることなく放出ガイド１２の破損を防止することができる。
【００２１】
また先端部に円弧面の曲がり部２２ａを形成したプレート２２は、戻し方向の弾性付勢力を放出ガイド１２の反放出方向面に付与することになるから、放出ガイド１２を元の姿勢に速やかに復帰させて次の結束作業をスムーズに行なうことができる。
【００２２】
本発明の実施の形態によれば、放出ガイド１２を反放出側にプレート２２を、放出側にガイドプレート２３をそれぞれ配置して反放出側には放出ガイド１２の腰を強く、且つ滑らかに支持し、放出側にはガイドプレート２３で柔らかく支持するので、放出ガイド１２は大きく撓んで結束束を速やかに放出しながら、この放出ガイド１２に局部的は応力を発生させることがない。そして放出が完了して跳ね返った放出ガイド１２はプレート２２で腰部が支持されて応力が分散されるので、この放出ガイド１２は折損することがない。
【００２３】
放出ガイド１２の反放出側に積層配置したプレート２２は放出ガイド１２と共に曲がるが、放出ガイド１２の根元部を広く支持しており、放出ガイド１２が大きく曲げられた時は先端の曲がり部２２ａの部分に大きな応力が発生する。
【００２４】
一方、放出ガイド１２の放出側に配置したガイドプレート２３は放出側に曲げられて作動空間Ｈが形成されているので、放出ガイド１２の根元部がガイドプレート２３に支持されてこれを曲げる状態では、放出ガイド１２はボルト２１に近い部分において応力が最も大きくなるように動作する。
【００２５】
このようにプレート２２を放出ガイド１２の放出時に曲がる位置より伸ばしたので、放出ガイド１２が揺動する際に、支持部における応力が最大となる位置が異なるので、この放出ガイド１２の支疲労強度を向上させ、耐久性を高めることができる。
【００２６】
また、図３のように先端が下に向いている放出ガイド１２の下側の縁部を先細になるように切除して全体として長いナイフの形状に形成することで、基部を強くし、先端に向かって次第に強度を低下させて柔軟性を増しているので、結束束を放出する際は、この束に押圧されて綺麗な円弧を描きながら撓むことができることから、局部的に応力を増加させることがなく、寿命を延長させることができる。
【００２７】
尚、この結束装置の放出ガイド構造はバインダに限定することなく、例えばコンバインに設置される排稈結束用の結束装置でも使用される。
【００２８】
【発明の効果】
上記の説明から明らかなように、本発明の結束装置の放出ガイド構造によれば、刈取られた穀稈を集束部１１に送り、株元側と茎葉部側を結束ドア２０と放出ガイド１２で支持した状態で結束し、結束された結束束を結束ドア２０と放出ガイド１２を側方に開放させて放出アーム１４で放出する結束装置において、前記放出ガイド１２の基部側に反放出方向面に接当規制するプレート２２を設け、このプレート２２を放出ガイド１２の放出時の曲がり位置より伸ばした状態でブラケット４ａに支持したことを特徴としている。
【００２９】
従って放出アーム１４による結束束の放出を放出ガイド１２をしならせてスムーズに行い、その反放出方向面に放出ガイド１２が跳ね返った時には、プレート２２の弾性力によって結束束放出終了後の放出ガイド１２の復帰を速やかに行なうことができる。また、放出側と反放出側とで放出ガイド１２の支持位置を異ならせているので、応力集中を緩和することができ、耐久性を向上することが出来る。
【図面の簡単な説明】
【図１】結束装置の放出ガイド構造を備えたバインダの斜視図である。
【図２】結束装置の要部の構成を示す平面図である。
【図３】図２の側面図である。
【図４】放出ガイド構造を示す平面図である。
【符号の説明】
１　　刈取装置　　　　４ａ　　ブラケット　　　　　６　　刈刃
９　　凭れ案内板　　　１０　　結束装置　　　　　１１　　集束部
１２　　放出ガイド　　　１４　　放出アーム　　　　２０　　結束ドア
２１　　ボルト　　　　　２２　　緩衝プレート
２３　　ガイドプレート
【図１】
2004065161.tif 000003
【図２】
2004065161.tif 000004
【図３】
2004065161.tif 000005
【図４】
2004065161.tif 000006